(57)【要約】【課題】  原稿の取り忘れを考慮し操作性を向上させると共に、狭い所でも設置できる新規な複写装置を提供することを目的とする。【解決手段】  複写装置１を、装置本体２の下方に配置した給紙部３と、給紙部３に隣接して配置した転写部４と、転写部４の上方における装置本体２の前面２１に開口が位置するように配置した複写用紙排出口５と、複写用紙排出口５と同一高さ位置に並べ前面２１に開口が位置するように配置した原稿排出口６と、原稿排出口６に隣接し前面２１に開口か位置するように配置した原稿挿入口７と、原稿挿入口７と原稿排出口６との間に配置されたスキャナ部８と、前面２１に設けられた操作部９と、から構成した。【選択図】    図２
2006284804.tif 000002
【特許請求の範囲】
【請求項１】
装置本体の下方に配置した給紙部と、
前記給紙部に隣接して配置した転写部と、
前記転写部の上方における前記装置本体の前面に開口が位置するように配置した複写用紙排出口と、
前記複写用紙排出口と同一高さ位置に並べ前記前面に開口が位置するように配置した原稿排出口と、
前記原稿排出口に隣接し前記前面に開口が位置するように配置した原稿挿入口と、
前記原稿挿入口と前記原稿排出口との間に配置されたスキャナ部と、
前記前面に設けられた操作部と、から構成したことを特徴とする複写装置。
【請求項２】
前記給紙部は前記前面から装着可能な給紙ユニットから成り、前記転写部は前記前面寄りに設けられ、該前面に開放する扉を有して形成されていることを特徴とする請求項１に記載の複写装置。
【発明の詳細な説明】
【技術分野】
【０００１】
本発明は、原稿から画像データをスキャナによって取得し複写用紙に電子的に転写する複写装置に関するものであり、特に、装置の前面側から原稿や複写が完了して排出される用紙の取り扱いを可能にした複写装置に関するものである。
【背景技術】
【０００２】
従来、例えば、ファクシミリ装置において原稿や複写が完了して排出される用紙の取扱いを容易にするために、下記の特許文献１（実開平２−９３８６５号公報）に開示されている技術が提案されている。この特許文献１に開示されたファクシミリ装置は、原稿を挿入する原稿挿入口と、該挿入口から挿入された原稿を排出する原稿排出口と、情報が印字された記録紙を排出する記録紙排出口とが装置の前面に上下に集中して設けられたものである。そして、装置の前面には、操作部と表示部とが設けられている。
【０００３】
また、ファクシミリ装置における原稿排出口や原稿挿入口等の配置を考慮した従来の技術として、例えば、下記の特許文献２（特開平６−２９１９０３号公報）に開示された技術が提案されている。この特許文献２に開示されたファクシミリ装置は、装置本体の一側面に記録紙排出口と原稿挿入口とが上下に設けられている。ここで原稿排出口は記録紙排出口と兼用されている。そして、操作ボタン並びに表示窓が装置本体の一側面とは異なる側の表示部上に互いに隣接して配置している。
【０００４】
また、携帯用プリンタ・ファクシミリ複合装置における原稿排出口や原稿挿入口等の配置を考慮した従来技術として、例えば、下記の特許文献３（特開平１０−１６４２９８号公報）に開示された技術が提案されている。この特許文献３に開示された携帯用プリンタ・ファクシミリ複合装置は、装置における前面の印字用紙排出口の下方に原稿排出口と原稿挿入口とを上下に配置したものである。そして、装置の上面には、操作パネルが設けられている。
【０００５】
【特許文献１】実開平２−９３８６５号公報（全文明細書、４頁、１８行〜５頁、７行、図２）
【特許文献２】特開平６−２９１９０３号公報（図２、段落〔０００７〕、〔０００８〕）
【特許文献３】特開平１０−１６４２９８号公報（図１、段落〔００１８〕、〔００１９〕、〔００２０〕）
【発明の開示】
【発明が解決しようとする課題】
【０００６】
しかしながら、１回のジョブで記録紙が多量に排出され、しかも原稿が複数枚になる複写装置においては、複写用紙の排出口や原稿の排出口は大きなものが必要になり、しかも内臓されているスキャナ、転写部等が大きなものであるので、従来の技術として上述した特許文献１〜特許文献３に開示されたファクシミリ装置等のように、原稿や複写を完了した排出紙等の用紙を１枚毎に取り扱う装置にあっては、これらの用紙を排出する排出口を装置の前面に上下に集中して設けることができない。すなわち、上記特許文献１〜特許文献３のような従来の複写装置においては、原稿を読み取るスキャナ部と複写部と用紙を搬送する搬送路との関係から、原稿排出口の位置を目に付き易いところに配置することが困難であり、原稿排出口の位置に対する考慮が不十分であった。
【０００７】
そのため、従来の複写装置においては、原稿の取り忘れを生じてしまうという問題点があった。
【０００８】
そこで、本発明は、上記の問題点に鑑みなされたものであり、原稿の取り忘れを考慮し操作性を向上させると共に、狭い所でも設置できる新規な複写装置を提供することを目的とする。
【課題を解決するための手段】
【０００９】
前記課題を解決するために、本願の請求項１に係る発明は、
装置本体の下方に配置した給紙部と、
前記給紙部に隣接して配置した転写部と、
前記転写部の上方における前記装置本体の前面に開口が位置するように配置した複写用紙排出口と、
前記複写用紙排出口と同一高さ位置に並べ前記前面に開口が位置するように配置した原稿排出口と、
前記原稿排出口に隣接し前記前面に開口が位置するように配置した原稿挿入口と、
前記原稿挿入口と前記原稿排出口との間に配置されたスキャナ部と、
前記前面に設けられた操作部と、から構成したことを特徴とする。
【００１０】
また、本願の請求項２に係る複写装置においては、請求項１に係る複写装置において、前記給紙部は前記前面から装着可能な給紙ユニットから成り、前記転写部は前記前面寄りに設けられ、該前面に開放する扉を有して形成されていることを特徴とする。
【発明の効果】
【００１１】
本願の請求項１に係る発明においては、前記装置本体の前面に前記複写用紙排出口と前記原稿排出口とが同一位置高さで並んで配置されているので、複写終了によって前記複写用紙排出口に複写用紙が排出されるときに、同一の目の高さにある前記原稿排出口には原稿が排出される。そのため、使用者は複写用紙を取り出す際に必ず原稿が前記原稿排出口内に在ることに気がつき、取り忘れが確実に防止できる。しかも、前記操作部、原稿挿入口も前記複写用排出口と原稿挿入口とが前記前面上に配置されているので、使用者は前面から複写のための全ての操作が可能となり、操作性に優れた複写装置を提供できるようになる。
【００１２】
また、本願の請求項２に係る発明によれば、前記給紙部が装置本体の前面から給紙ユニットにより取り扱うことができると共に、前記転写部がその内部を前記前面に設けられた扉を開くことによって装置本体の前方に開放されるので、複写用紙の補充や転写部の点検、修理等を前記前面から行うことができる。従って、装置本体は背面だけでなく両側面も塞がれる箇所でも設置することができるため、制限された狭い所に設置できる複写装置を提供することができるようになる。
【発明を実施するための最良の形態】
【００１３】
以下、本発明の具体例を実施例及び図面を用いて詳細に説明する。
【実施例１】
【００１４】
以下、本発明の実施例について図面を参照して説明する。図１は本発明の実施例における複写装置を示す斜視図、図２は図１における複写装置の内部を概略的に示す斜視図である。なお、本発明において、複写装置とは、スキャナ部と印刷部（複写部）を有し、印刷、複写が可能な複合機を含むものである。
【００１５】
図１において複写装置１は、装置本体2の下方の左側に配置された給紙部３と、給紙部３の上方に隣接して配置された転写部４と、転写部４の上方の前面２１に開口が位置するように配置された複写用紙排出口５と、複写用紙排出口５の右方における前面２１に開口が位置するように配置され、複写用紙排出口５と同一高さ位置に配置した原稿排出口６と、原稿排出口６の上方の前面２１に隣接して配置された原稿挿入口７と、原稿挿入口７と原稿排出口6との間に配置されたスキャナ部８と、前面２１に配置された操作部９とから構成されている。給紙部３は装置本体２の前面２１から装着可能な複数の給紙ユニット３１から形成されている。これらの給紙ユニット３１は複写用紙のサイズ別に設けられている。
【００１６】
図２に示すように転写部４は、前面２１寄りに配された転写ドラム４１と、転写ドラム４１に画像データを現像する現像ユニット４２と、転写ドラム４１の下流側に設けた定着ユニット４３と、給紙部３から転写ドラム４１に複写用紙１０を搬送する搬送ローラ４４と、定着ユニット４３から複写用紙排出口５に複写用紙１０を搬送する搬送ローラ４５と、複写用紙１０を選択的に反転させて再び転写ドラム４１に搬送する反転ローラ４６とから構成されている。そして、転写部４は前面２１に設けられた扉４７によって常時閉じられているが、扉４７を開くことによって転写部４の内部が前面２１側に開放されるようになっている。
【００１７】
複写用紙排出口５は多量の複写用紙１０が収納されるのに十分な高さを有するボックス５１に連なっている。また、複写用排出口５は使用者がボックス５１内の複写用紙１０が取り出せるような大きさに形成されている。
【００１８】
原稿排出口６は多量の原稿１１が収納されるのに十分な高さを有するボックス６１に連なっている。また、原稿排出口６は使用者がボックス６１内の複写用紙１０が取り出せるような大きさに形成されている。
【００１９】
原稿挿入口７は手動でもって原稿１１の幅を設定するガイド７１を有し複数枚の原稿１１を自動的に送出するようになっている。
【００２０】
スキャナ部８は、原稿１１の片面又は両面を選択的に光学的に走査して画像データを得るための一対のスキャナ８１と、原稿挿入口７からスキャナ８１に原稿１１を搬送する搬送ローラ８２と、スキャナ８１から原稿排出口６に原稿１１を搬送する搬送ローラ８３とから形成されている。
【００２１】
上述した本発明の実施例による複写装置１の動作について説明する。使用者は原稿挿入口７に原稿１１を挿入する。その際、ガイド７１を原稿１１の幅に合わせて原稿１１を安定して送り出すようにする。その後、使用者は操作部９において複写部数、片面／両面の選択、縮小／拡大の場合の選択等を設定して複写の開始操作を行う。有料の場合はコインを投入する。
【００２２】
この開始操作により、複写装置１は原稿挿入口７にセットした原稿１１を搬送ローラ８２によってスキャナ８１に搬送し光学的に走査して画像データを取得する。この画像データは転写部４に送出される。また、画像が読取られた原稿１１は搬送ローラ８３によって原稿排出口６のボックス６１に搬送される。
【００２３】
一方、転写部４は送られてきた画像データを現像ユニット４２において転写ドラム４１に現像する。給紙部３からは所定サイズの複写用紙１０が搬送ローラ４４によって転写ドラム４１に搬送される。転写ドラム４１においては搬送された複写用紙１０に転写を行う。転写された複写用紙１０は定着ユニット４３において定着される。ここで、片面複写の場合は、複写用紙１０は搬送ローラ４５によってボックス５１へ搬送される。両面複写の場合は、反転ローラ４６によって反転されて再び転写ドラム４１に搬送される。そして、両面複写のための画像データが転写され定着ユニット４３で定着され搬送ローラ４５によってボックス５１へ搬送される。
【００２４】
複写が終了した後は、使用者はボックス５１内の複写用紙１０を複写排出口５から取り出す。同時に、右方にある原稿排出口６からボックス６１内の原稿１１を取り出す。
【００２５】
また、給紙部３の用紙を補充する場合は、所定の給紙ユニット３１を前面２１から取り出して用紙を補充して再び前面２１から装置本体２に装着する。転写部４において、例えばジャムが発生した場合は、扉４７を開いて転写部４を前面２１に開放してその原因を取り除く。そして、ジャムの原因が取り除かれた後は再び扉を閉じる。転写部４を点検する場合も同様である。
【００２６】
上述した本発明の実施例によれば、装置本体２の前面２１に複写用紙排出口５と原稿排出口６とが同一位置に並んで配置されているので、複写終了によって複写用紙排出口５に複写用紙１０が排出されるときに、同一の目の高さにある原稿排出口６に原稿１１が排出される。そのため、使用者は複写用紙１０を取り出す際に必ず原稿１１が前原稿排出口６内に在ることに気がつき、取り忘れが確実に防止できる。また、原稿挿入口７と操作部９とが複写用排出口５と原稿挿入口６と同一の前面２１に配置されているので、使用者は前面２１から複写のための全ての操作が可能となる。しかも、装置本体２の占有面積は、複写用紙排出口５のボックス５１と原稿排出口６のボックス６１の占有面積を合わせたものに略等しくてよい。そのため、複写装置１は比較的狭い床面積のところに設置できる。
【００２７】
更に、給紙部３が装置本体２の前面２１から給紙ユニット３１により取り扱われると共に、転写部４がその内部を前面２１に設けられた扉４７を開放することによって取り扱えるようにされるので、複写用紙１０の補充や転写部４の点検、修理等を前面２１から行うことができる。従って、装置本体２の設置箇所が背面だけでなく両側面が塞がれているような場所であっても設置することができる。
【００２８】
尚、本発明の実施例においては、一対のスキャナ８１と反転ローラ４６を設けて両面の複写を可能にした複写装置１に適用した場合について説明したが、本発明はこれに限定されることなく片面のみの複写装置にも適用できることはいうまでもない。
【図面の簡単な説明】
【００２９】
【図１】図１は、本発明の実施例における複写装置を示す斜視図である。
【図２】図２は、図１における複写装置の内部構成を概略的に示す斜視図である。
【符号の説明】
【００３０】
１                複写装置
２                装置本体
３                給紙部
４                転写部
５                複写用紙排出口
６                原稿排出口
７                原稿挿入口
８                スキャナ部
９                操作部
１０              複写用紙
１１              原稿
２１              前面
３１              給紙ユニット
４１              転写ドラム
４２              現像ユニット
４３              定着ユニット
４４、４５        搬送ローラ
４６              反転ローラ
４７              扉
５１、６１、７１  ボックス
７２              ガイド
８１              スキャナ
８２、８３        搬送ローラ
【図１】
2006284804.tif 000003
【図２】
2006284804.tif 000004